(57)【特許請求の範囲】
【請求項１】
フィルムの各コマの画像を読み取る画像読み取り装置と、この画像読取装置で読み取った画像を表示する表示装置と、これら各構成部材を制御する制御装置と、この制御装置に各種情報を入力するためのキーボードを備えた写真処理機において、制御装置には、前記表示装置の画面に１コマの画像を表示する画像表示モードと複数コマの画像を同時に表示する画像表示モードが構築された画像表示機能と、前記表示装置に表示される画像を回転させるための画像回転機能が設けられ、キーボードには、前記画像回転機能を作動させるための画像回転キーが設けられ、また前記画像回転機能には、１コマの画像を表示する画像表示モードへの切り替え時には前記表示装置に表示される画像を画像回転キーの操作毎に９０度ずつ回転させ、複数コマの画像を同時に表示する画像表示モードへの切り替え時には表示装置に表示される画像を画像回転キーの操作毎に１８０度ずつ回転させる機能が設定されていることを特徴とする写真処理機。
【請求項２】
画像回転キーには、画像回転を示す絵図を記載していることを特徴とする請求項１に記載の写真処理機。
【発明の詳細な説明】
【０００１】
【産業上の利用分野】
本発明は、画像読み取り装置により読み取ったフィルムの画像を表示装置の画面上に表示する機能を備えた写真処理機に関する。
【０００２】
【従来の技術】
一般にこの種の写真処理機は、フィルムの各コマの画像を読み取る画像読み取り装置としてのスキャナーと、読み取った画像を表示装置の画面上に表示する画像表示機能と、これら各構成部材を制御する制御装置と、この制御装置に各種情報を入力するためのキーボードとを備えている。
【０００３】そして、例えば露光装置での焼き付け処理を行うに際しては、現像済フィルムをスキャナーにセットして、該フィルムの画像をスキャナーで読み取った後、該画像の色や濃度を制御装置の自動補正機能により補正した上で表示装置のモニター画面に表示すると共に、オペレータがモニター画面上の画像をチェックして、更に補正が必要であれば、キーボードのキー操作により画像の色や濃度をマニュアルで補正するようにしている。
【０００４】ところで以上の写真処理機では、撮影したカメラのフィルムの巻き取り方向の相違や、オペレータがフィルムをスキャナーに挿入する方向の相違により、表示装置の画面には、画像が倒立状態で表示されてしまう。即ち、例えばスキャナーにフィルムをその先端から挿入した時、表示装置の画面に画像が正立状態で表示される場合において、このフィルムをその後端からスキャナーに挿入すると、表示装置の画面には、画像が倒立状態で表示されることになるのであって、以上のごとく画像が倒立状態で表示されたままでは、画像の補正処理が行い難い。
【０００５】そこで従来では、以上のごとく画像が表示装置の画面に倒立状態で表示された場合には、キーボード中のＳＩＦＴキーとＭＥＮＵキーの２つのキー操作により、制御装置を介して表示装置の画面に表示されている画像を任意回転させて、該画像が正立で表示されるようにしている。
【０００６】
【発明が解決しようとする課題】
しかしながら、以上の方法では、表示装置の画面に表示されている画像を回転させるに際して、２つのキーを操作しなければならないので、操作性が悪いし、またＳＩＦＴキーとＭＥＮＵキーの２つのキー操作を覚えなければならず、装置に不慣れなオペレータでは、その都度、取り扱い説明書によって確認する必要が生じて、処理に要する時間が長くなる不具合がある。
【０００７】本発明は以上の実情に鑑みて開発したものであって、目的とするところは、画像読み取り装置により読み取られた画像が、表示装置の画面に倒立状態に表示された場合、装置に不慣れなオペレータでもワンタッチで正立に表示させることが出来る写真処理機を提供する点にある。
【０００８】
【課題を解決するための手段】
以上の目的を達成するために、請求項１記載の発明は、フィルムの各コマの画像を読み取る画像読み取り装置と、この画像読取装置で読み取った画像を表示する表示装置と、これら各構成部材を制御する制御装置と、この制御装置に各種情報を入力するためのキーボードを備えた写真処理機において、制御装置には、前記表示装置の画面に１コマの画像を表示する画像表示モードと複数コマの画像を同時に表示する画像表示モードが構築された画像表示機能と、前記表示装置に表示される画像を回転させるための画像回転機能が設けられ、キーボードには、前記画像回転機能を作動させるための画像回転キーが設けられ、また前記画像回転機能には、１コマの画像を表示する画像表示モードへの切り替え時には前記表示装置に表示される画像を画像回転キーの操作毎に９０度ずつ回転させ、複数コマの画像を同時に表示する画像表示モードへの切り替え時には表示装置に表示される画像を画像回転キーの操作毎に１８０度ずつ回転させる機能が設定されていることを特徴とするものである。
【０００９】
また請求項２に記載の発明は、請求項１に記載の写真処理機において、画像回転キーに画像回転を示す絵図を記載したのである。
【００１０】
【発明の実施の形態】
以下、本発明にかかる写真処理機の実施形態を図面に基づいて説明する。図１に示す写真処理機は、基本的には、現像済フィルムＦの各コマの画像を読み取る画像読み取り装置としてのスキャナー１と、このスキャナー１にて読み取った画像をモニター画面２０に表示する表示装置２と、同じくスキャナー１で読み取った画像をプリント処理するためのプリント処理装置３と、これら各構成部材１・２・３を制御するための制御装置４と、この制御装置４に各種情報等を入力するためのキーボード５とを備えている。
【００１１】
プリント処理装置３は、スキャナー１で読み取った各画像を印画紙Ｐに焼き付けるためのデジタル式の露光機構３ａと、露光機構３ａで露光済の印画紙Ｐを現像処理するための現像処理機構３ｂとから構成され、前記露光機構３ａにより、スキャナー１で読み取った各画像を印画紙Ｐに焼き付けた後、この印画紙Ｐを現像処理機構３ｂで現像して、プリントを仕上げるようにしている。
【００１２】
制御装置４は、マイクロコンピュータを搭載し、該マイクロコンピュータのプログラム上に、スキャナー１で読み取った現像済フィルムＦの画像を、予め設定された所定の手順で自動的に補正する画像自動補正機能４１と、オペレータがキーボード５を操作して前記画像を任意に補正する画像マニュアル補正機能４２と、スキャナー１で読み取った画像を表示装置２のモニター画面２０上に表示する画像表示機能４３と、表示装置２のモニター画面２０に表示される画像を所定角度回転させるための画像回転機能４４とを構築して、前記キーボード５の操作により、前記画像回転機能４４を介して表示装置２のモニター画面２０に表示される画像Ｔを所定角度回転させるようにしている。
【００１３】
また画像表示機能４３には、表示装置２のモニター画面２０に１コマの画像を表示する「１コマ画像表示」モードと、４コマの画像を同時に表示する「４コマ画像表示」モードと、６コマの画像を同時に表示する「６コマ画像表示」モードと、４０コマの画像を同時に表示する「４０コマ画像表示」モードとを構築し、キーボード５のキー操作により、制御装置４の画像表示機能４３を「１コマ画像表示」モードに切り換えるに伴い、表示装置２のモニター画面２０には、図４に示すようにスキャナー１で読み取った画像中の１コマが表示され、またキーボード５のキー操作により、画像表示機能４３を例えば「４コマ画像表示」モードに切り替えるに伴い、表示装置２のモニター画面２０には、図３に示すようにスキャナー１で読み取った画像中の４コマが同時に表示されるようにしている。
【００１４】
画像回転機能４４には、キーボード５のキー操作により画像表示機能４３を「１コマ画像表示」モードに切り替えるに伴い、表示装置に表示される画像Ｔを、後記する画像回転キー５ｊの操作毎に右回りに９０度ずつ回転させ、また複数コマの画像を同時に表示する画像表示モード、即ち図に示す実施形態では、「４コマ画像表示」「６コマ画像表示」「４０コマ画像表示」の何れかのモードに切り替えた時には、表示装置２のモニター画面２０に表示される画像Ｔを、画像回転キー５ｊの操作毎に右回りに１８０度ずつ回転させる機能を設定している。
【００１５】
一方、キーボード５は、図１に概略的に示すように、ＭＥＮＵキー５ａ、ＳＨＩＦＴキー５ｂ、ＰＡＳＳキー５ｃ、ＳＴＡＲＴキー５ｄ、イエロー補正キー５ｅ、マゼンタ補正キー５ｆ、シアン補正キー５ｇ、補正値を増減する複数の数値入力キー５ｉ等を備え、スキャナー１で読み取った画像の色補正をオペレータが行うときには、各色の補正キーと数値入力キー等を操作することで、制御装置４のマニュアル補正機能４３に補正指示を入力するようにしている。
【００１６】
また以上のキーボード５には、画像回転機能４３を専ら作動させるための画像回転キー５ｊを設けているのであって、この画像回転キー５ｊの上面には、図２に示すように、「ＦＯＲＭ」の文字５１と画像回転を表す絵図５２とを印刷している。尚、図中１１は、プリント処理装置３の露光機構３ａに搭載したネガマスクユニットを示す。
【００１７】
以上の写真処理機では、現像済フィルムＦをネガマスクユニット１１にセットして、現像済フィルムＦの各コマの画像を、スキャナー１で読み取った後、自動補正機能４２により必要な補正が加えられる。そして、画像表示機能４３が「４コマ画像表示」モードに切り換えられている場合には、表示装置２のモニター画面２０には、図３に示すように、スキャナー１で読み取られた画像が４コマずつ表示され、また画像表示機能４３が「１コマ画像表示」モードに切り換えられている場合には、表示装置２のモニター画面２０には、図４に示すように、スキャナー１で読み取られた画像が１コマずつ表示されるのである。
【００１８】
この時、表示装置２のモニター画面２０に表示される画像Ｔが、図３のＡまたは図４のＡに示すように、倒立状態で表示された場合には、キーボード５中の画像回転キー５ｊを押して、前記画像Ｔを回転させるのである。しかして画像表示機能４３が「４コマ画像表示」モードに切り換えられている場合には、前記画像回転キー５ｊが押される度に、表示装置２のモニター画面２０に表示されている４コマの画像Ｔが右回りに１８０度回転するのであって、従って図３のＡで示すように画像Ｔが倒立している時には、画像回転キー５ｊを一度押すことで、図３のＢに示すようにモニター画面２０上の画像Ｔを正立させることが出来る。
【００１９】
また画像表示機能４３が「１コマ画像表示」モードに切り換えられている場合には、前記画像回転キー５ｊが押される度に、表示装置２のモニター画面２０に表示されている画像Ｔが右回りに９０度回転するのであって、従って、図４のＡで示すように画像Ｔが倒立している時には、画像回転キー５ｊを２度押すことで、図４のＢに示すように、モニター画面２０上の画像Ｔを正立させることが出来る。
【００２０】
次にオペレータが、該モニター画面２０に表示された画像Ｔを見ながら、キーボード２のキー操作によりマニュアル補正機能４３を介して必要な補正を加えた後、キーボード５のＳＴＡＲＴキー５ｄを押すと、プリント処理装置３によりプリントが開始されるのである。斯くして以上の写真処理機では、画像回転キー５ｊのみを押すだけで、表示装置２のモニター画面２０に表示されている画像Ｔを直ちに回転させることが出来る。
【００２１】しかも前記画像回転キー５ｊの上面には、図２に示すように、画像回転を表す絵図５２が印刷されているので、かかる写真処理機に不慣れなオペレータでも仕様説明書を読まなくともキーボード５を見るだけで、画像Ｔを回転させるキーを知ることが出来るのである。
【００２２】
【発明の効果】
請求項１記載の写真処理機によれば、フィルムの各コマの画像を読み取る画像読み取り装置と、この画像読取装置で読み取った画像を表示する表示装置と、これら各構成部材を制御する制御装置と、この制御装置に各種情報を入力するためのキーボードを備えた写真処理機において、制御装置には、前記表示装置の画面に１コマの画像を表示する画像表示モードと複数コマの画像を同時に表示する画像表示モードが構築された画像表示機能と、前記表示装置に表示される画像を回転させるための画像回転機能が設けられ、キーボードには、前記画像回転機能を作動させるための画像回転キーが設けられ、また前記画像回転機能には、１コマの画像を表示する画像表示モードへの切り替え時には前記表示装置に表示される画像を画像回転キーの操作毎に９０度ずつ回転させ、複数コマの画像を同時に表示する画像表示モードへの切り替え時には表示装置に表示される画像を画像回転キーの操作毎に１８０度ずつ回転させる機能が設定されたことにより、画像読み取り装置により読み取られた画像が、表示装置の画面に倒立状態に表示された場合、画像回転キーを押すだけで、画像回転機能を介して表示装置の画面上の画像を回転させることが出来るのは勿論のこと、各画像表示モードに適応した角度で画像を回転させることが出来、例えば１コマの画像を表示する画像表示モードにおいては、トリミングの作業が行い易くなる。
【００２３】
また請求項３記載の発明によれば、請求項１または２記載の写真処理機において、画像回転キーに画像回転を示す絵図を記載したことにより、写真処理機に不慣れなオペレータでもキーボードを見るだけで、画像を回転させるキーを理解することが出来、操作ミスを低減することが出来る。
【図面の簡単な説明】
【図１】本発明にかかる写真処理機の一実施形態を示す構成図。
【図２】画像回転キーの拡大平面図。
【図３】「４コマ画像表示」モードにおけるモニター画面の表示例を示す説明図。
【図４】「１コマ画像表示」モードにおけるモニター画面の表示例を示す説明図。
【符号の説明】
Ｆ フィルム
１ スキャナー（画像読み取り装置）
２ 表示装置
４ 制御装置
４３ 画像表示機能
４４ 画像回転機能
５ キーボード
５ｊ 画像回転キー
５２ 絵図
【図１】
0003941231.tif 000002
【図２】
0003941231.tif 000003
【図３】
0003941231.tif 000004
【図４】
0003941231.tif 000005